(57)【要約】      （修正有）【課題】停電時でも、利用者へ発電ユニットによる電力の供給が可能となる発電システムを提供する。【解決手段】燃料ガスにより発電し、電力を供給する発電ユニット１０１と、前記発電ユニット１０１の起動および停止を制御する制御器１０２と、商用電源１０９から前記発電ユニット１０１への電力供給が停止して停電したことを検知する停電検知器１０３と、前記制御器１０２が、前記発電ユニット１０１が運転をしている場合に、且つ前記停電検知器１０３で停電を検知している場合に、予め定められる前記発電ユニット１０１の運転終了条件を満たした場合でも、前記発電ユニット１０１の運転を継続するように制御する。【選択図】図１
2014053234.tif 000002
【特許請求の範囲】
【請求項１】
発電を行い電力を供給する発電ユニットと、
前記発電ユニットの起動および停止を制御する制御器と、
商用電源から前記発電ユニットへの電力供給が停止して停電したことを検知する停電検知器と、を備え、
前記制御器は、前記発電ユニットが運転をしている場合で、且つ前記停電検知器で停電を検知している場合には、予め定められる前記発電ユニットの運転終了条件を満たした場合でも、前記発電ユニットの運転を継続するように制御する、
発電システム。
【請求項２】
前記運転終了条件は、使用者により予め設定される運転停止時間帯になったことにより運転を終了する第１終了条件を含んでおり、
前記制御器は、前記発電ユニットが運転をしている場合で前記停電検知器で停電を検知した場合に、前記第１終了条件を満たした場合は、前記第１終了条件による運転終了の指示を無効にさせる、
請求項１に記載の発電システム。
【請求項３】
前記運転終了条件は、前記発電ユニットの運転時間が予め定められる第１時間に達したことにより運転を終了する第２終了条件を含んでおり、
前記制御器は、前記発電ユニットが運転をしている場合で前記停電検知器で停電を検知した場合に、前記第２終了条件を満たした場合は、前記第１時間より長い第２時間に達した場合に前記発電ユニットを停止させる、
請求項１又は２に記載の発電システム。
【請求項４】
前記発電ユニットが供給する熱を吸収する水を蓄える貯湯タンクと、
前記貯湯タンクの蓄えられている熱量を検知する熱量検知器と、
前記貯湯タンクから前記発電ユニットへ供給する水を冷却する冷却器と、をさらに備え、
前記運転終了条件は、前記熱量検知器が予め定められる第１熱量以上を検知した場合に前記発電ユニットを停止させる第３終了条件を含んでおり、
前記制御器は、前記発電ユニットが運転をしている場合で前記停電検知器で停電を検知した場合に、前記第３終了条件を満たした場合には、前記冷却器を動作させる、
請求項１〜３のいずれか１項に記載の発電システム。
【請求項５】
前記制御器は、前記発電ユニットが運転をしている場合で前記停電検知器で停電を検知した場合に、予め定められる前記発電ユニットの運転禁止条件を満たした場合には、前記発電ユニットを停止させる、
請求項１〜４のいずれか１項に記載の発電システム。
【発明の詳細な説明】
【技術分野】
【０００１】
本発明は、発電を行い電力を供給する発電ユニットを備えている発電システムに関する。
【背景技術】
【０００２】
発電システムの一例である燃料電池システムは、燃料電池システムの動作音を排除して静粛性を発揮するものが開示されている（例えば、特許文献１）。
【０００３】
特許文献１に記載の燃料電池システムは、燃料電池発電ユニットの起動禁止時間帯を設定するリモコンを備えている。燃料電池発電ユニットの発電制御装置は、リモコンが設定した起動禁止時間帯内であれば、燃料電池スタックを停止状態のまま維持する静粛モードで燃料電池スタックを制御するように構成されている。また、特許文献１には、ユーザが発電禁止時間帯を設定した場合には発電ユニットを低音モードで運転する。
【先行技術文献】
【特許文献】
【０００４】
【特許文献１】特開２０１０−３４５９号公報
【発明の概要】
【発明が解決しようとする課題】
【０００５】
発電システムにおいては起動禁止時間帯をユーザが設定していても停電時などの非常時には電力系統と連系していない状態で独立して発電を行う自立発電に切り替えて発電を継続したいとの要望がある。
【０００６】
しかしながら、従来技術では系統電源の停電時で且つ発電ユニットの禁止時間帯には利用者に電源の供給ができない。また、機体保護のために発電が制限されている場合は電源の供給ができないとの課題がある。
【０００７】
本発明は、このような課題を解決するものであり、停電時でも、利用者へ発電ユニットによる電力の供給が可能となることを目的とする。
【課題を解決するための手段】
【０００８】
前記の従来課題を解決するために、本発明の発電システムは、
発電を行い電力を供給する発電ユニットと、
発電ユニットの起動および停止を制御する制御器と、
商用電源から発電ユニットへの電力供給が停止して停電したことを検知する停電検知器と、を備え、
制御器は、発電ユニットが運転をしている場合で、且つ停電検知器で停電を検知している場合には、予め定められる発電ユニットの運転終了条件を満たした場合でも、発電ユニットの運転を継続するように制御する。これにより、発電ユニットが停電を検知した場合は発電ユニットの運転を継続できる。
【０００９】
また、運転終了条件は、使用者により予め設定される運転停止時間帯になったことにより運転を終了する第１終了条件を含んでおり、制御器が、発電ユニットが運転をしている場合で、且つ停電検知器で停電を検知した場合に、第１終了条件を満たした場合は、第１終了条件による運転終了の指示を無効にさせてもよい。これにより、発電ユニットが運転中で、且つ停電を検知しており、且つ発電ユニットの運転停止時間が来た場合には運転を
継続できる。
【００１０】
運転終了条件は、発電ユニットの運転時間が予め定められる第１時間に達したことにより運転を終了する第２終了条件を含んでおり、制御器は、発電ユニットが運転をしている場合で、且つ停電検知器で停電を検知した場合に、第２終了条件を満たした場合は、第１時間より長い第２時間に達した場合に発電ユニットを停止させる。これにより、発電ユニットが運転中で、且つ停電を検知しており、且つ発電ユニットの運転を継続した場合に機器が保護できるよう安全に停止できる。
【００１１】
発電ユニットが供給する熱を吸収する水を蓄える貯湯タンクと、貯湯タンクの蓄えられている熱量を検知する熱量検知器と、貯湯タンクから発電ユニットへ供給する水を冷却する冷却器と、をさらに備え、運転終了条件は、熱量検知器が予め定められる第１熱量以上を検知した場合に発電ユニットを停止させる第３終了条件を含んでおり、制御器は、発電ユニットが運転をしている場合で停電検知器で停電を検知した場合に、第３終了条件を満たした場合には、冷却器を動作させる。これにより、発電ユニットが運転中で、且つ停電を検知しており、熱量検知器が第１熱量を検知した場合に発電ユニットへの冷却水を冷やすことで発電ユニットの運転を継続できる。
【００１２】
制御器は、発電ユニットが運転をしている場合で停電検知器で停電を検知した場合に、予め定められる発電ユニットの運転禁止条件を満たした場合には、発電ユニットを停止させる。これにより、即停止するべき条件の場合には発電ユニットを停止できる。
【発明の効果】
【００１３】
本発明によれば、停電が起こった場合には、通常の運転では発電ユニットが停止するような条件を満たした場合でも、利用者へ発電ユニットで発電した電力を継続して供給することができる。
【図面の簡単な説明】
【００１４】
【図１】本発明の実施の形態１の燃料電池システムの構成を示す図
【図２】同実施の形態１の制御器の構成を示す図
【図３】同実施の形態１に係る制御処理一を説明するフローチャート
【図４】同実施の形態１に係る制御処理一を説明する概略図
【図５】同実施の形態１に係る制御処理一を説明する概略図
【図６】本発明の実施の形態２に係る制御処理二を説明するフローチャート
【図７】同実施の形態２に係る制御処理二を説明する概略図
【図８】同実施の形態２に係る制御処理二を説明する概略図
【図９】本発明の実施の形態３に係る制御処理三を示すフローチャート
【図１０】同実施の形態３に係る制御処理三を説明する概略図
【発明を実施するための形態】
【００１５】
以下、本発明の実施の形態に係る燃料電池システム及びその運転方法について、図面を参照しながら説明する。なお、以下で説明する実施の形態は、いずれも本発明の一具体例を示すものである。したがって、以下の実施の形態で示される数値、構成要素、構成要素の配置位置及び接続形態、ステップ、ステップの順序などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成要素については同一の符号を付している。
【００１６】
（実施の形態１）
図１は本発明における発電システムの一例である燃料電池システムの構成図である。図１を参照し本発明の構成について以下に説明する。
【００１７】
図１に示すように、本実施の形態に係る発電ユニット１０１は、例えば燃料電池ユニットであって、スタック１０と、電力変換部２０と、インバータ３０と、制御器１０２と、停電検知器１０３を備える。これらの構成は、筐体（発電ユニット本体）内に収納されている。なお、筐体内には、上記の構成要素の他に、燃料ガス等のガス配管、水やお湯の流路である配管（配管経路）、熱により水をお湯にする熱交換機（排熱回収装置）、及び、発電に必要な空気（酸素）を供給する空気供給装置などが配備されている。
【００１８】
スタック１０は、燃料ガスと酸化剤ガスとを反応させることで発電を行う電池スタックである。例えば、スタック１０は、水素ガスと酸素とを反応させることによって直流電力を生成する。本実施の形態において、スタック１０は、７５０Ｗ（ＤＣ１５Ｖ）で一定の直流電力を出力している。なお、このスタック１０の発電と同時に熱が発生し、この熱を利用して水をお湯に温めている。より具体的には、熱交換機によって水がお湯に温められて、貯湯タンク１０４に貯湯される。
【００１９】
電力変換部２０は、スタック１０から出力電力を変換する電力変換回路である。つまり、電力変換部２０は、スタック１０から出力される電力値を制御器１０２に必要な電力値に変換する。
【００２０】
インバータ３０は、スタック１０が発電した直流電力を交流電力に変換する。インバータ３０からの交流電力は、外部負荷である負荷４０に供給される。なお、インバータ３０には、ＣＴ（Ｃｕｒｒｅｎｔ  Ｔｒａｎｓｆｏｒｍｅｒ）センサが配備されており、電流を測定する。
【００２１】
負荷４０は、需要家において電力を消費する一つ又は複数の電力負荷（負荷機器）であり、発電ユニット１０１又は系統電源１０９から供給される交流電力を消費する。負荷４０は、例えば、一般家庭で使用される冷蔵庫、エアコン、テレビ、電子レンジ又は照明等の電気製品等の家庭内負荷である。
【００２２】
系統電源（商用電力系統）１０９は、電気事業者から需要家に交流電力を供給するシステムであり、所定の電圧及び所定の周波数の交流電力を需要家に供給する。系統電源１０９によって、例えば、２００Ｖ、５０Ｈｚ／６０Ｈｚの交流電力が需要家に供給される。
【００２３】
リモコン１０８は、発電ユニット１０１を操作するための入出力装置であり、さまざまな操作用情報を入力可能としているとともに、操作用の情報を表示（出力）可能としている。ユーザはリモコン１０８の操作によって発電ユニット１０１の発電停止時間帯を設定する。設定された発電停止時間帯を制御器１０２に送る。本実施の形態では、リモコン１０８は、有線または無線のリモートコントローラとして構成されており、操作ボタン、操作スイッチ、表示ランプ、表示パネル等を備えている。
【００２４】
停電検知器１０３は電圧計を備え、系統電源１０９から発電ユニット１０１への入力電圧を計測し、入力電圧が一定値を下回ると停電と判断して制御器１０２に停電したことを通知する。また、停電検知器１０３が停電を検知する方法としては周波数系を備えて、周波数の変化を検出し一定値を下回った場合に停電と判断してもよい。
【００２５】
制御器１０２は、電力変換部２０など、筐体内の各種内部装置を制御する。具体的に、制御器１０２は、電力変換部２０を制御することで、スタック１０の出力電力を制御している。制御器１０２は受信した発電停止時間帯に関する情報を記憶部１１１に記憶する。
時刻取得部１１２は現在時刻を取得する。停電検知器１０３は停電が発生するとその旨を制御器１０２に送信する。制御器１０２は停電検知器１０３から停電であることを受信すると停電情報として記憶部１１１に記憶する。図３に示す通り、運転制御部１１０は、一定時間毎に発電停止時間帯と時刻取得部１１２で取得した現在時刻を比較し、現在時刻が発電停止時間帯に無い場合には発電ユニット１０１に発電指令を出す。また、現在時刻が発電停止時間帯にあり、停電中で無ければ発電ユニット１０１に停止指令を出す。現在時刻が発電停止時間帯にあり、停電中であれば発電ユニット１０１に発電指令を出す。
【００２６】
また、運転制御部１１０は一定時間毎に、時刻取得部１１２で取得した現在時刻を用いて発電ユニット１０１が発電を始めた発電開始時刻を記憶部１１１に記憶する。また運転制御部１１０は一定時間毎に、時刻取得部１１２で取得した現在時刻と、発電開始時刻とから発電時間を算出して発電時間が予め設定された第１時間に達したかを判断する。達していなければ発電ユニット１０１に発電指令を出し、達していれば、記憶部１１１にある停電情報を参照して停電でなければ停止指令を出す。発電時間が第１時間に達していて停電であれば、予め設定された第２時間に達しているかを判断する。発電時間が第１時間に達していて停電であり、且第２時間に達していなければ発電指令を出し、第２時間に達していれば停止指令を出す。
【００２７】
熱量検知器１０５は貯湯タンク１０４の熱量を一定時間毎に制御器１０２に送る。制御器１０２は熱量を受信すると現在熱量として記憶部１１１に記憶する。運転制御部１１０は一定時間毎に動作し、記憶部１１１にある現在熱量と予め設定してある第１熱量とを比較する。発電ユニット１０１が発電中で現在熱量が第１熱量未満であれば発電ユニット１０１に発電指令をだす。第１熱量に達していて停電中でなければ発電ユニット１０１に停止指令を出す。第１熱量に達していて停電中であれば冷却器１０６に動作指令を出し、貯湯タンク１０４から発電ユニット１０１に入る水を冷却する。
【００２８】
次に、以上のように構成された燃料電池システムの動作（運転方法）について、図３のフローチャートと、図４の発電停止時間帯と停電発生と停電解除が発生した時系列と、停電が発生した場合の発電ユニット１０１の発電と停止の状態を示す時系列とを参照して制御手段一を用いた停電が発生した場合の処理の例をさらに説明する。
【００２９】
ユーザは予めリモコン１０８を介して発電停止時間帯２２：００−２：００を設定する。リモコン１０８は設定された発電停止時間帯２２：００−２：００を制御器１０２に送る。制御器１０２は受信した発電停止時間帯２２：００−２：００を記憶部１１１に記憶する。時刻取得部１１２は現在時刻を取得する。現在時刻の取得方法としてはＲＴＣ（Ｒｅａｌ  Ｔｉｍｅ  ＣｌｏｃｋのＩＣ）を用いても良いし、リモコン１０８から現在時刻を入力してＣＰＵのクロックでカウントしても良い。制御器１０２は図３にしめす制御処理一を一定時間（ここでは１分）毎に動作する。制御器１０２の時間の捉え方はマイコンのクロックを使用しても良いし、ＲＴＣを用いても良い。今、発電ユニット１０１は発電中で、記憶部１１１の発電ユニットの状態は“発電中”、停電情報は“なし”となっているとする。
【００３０】
制御器１０２が制御処理一を動作すると（Ｓ１００）、時刻取得部１１２を用いて現在時刻２１：５９：００（２１時５９分００秒）を取得する（Ｓ１０１）。２１：５９と発電停止時間帯を比較し（Ｓ１０２）、現在時刻が発電停止時間帯に入っていないと判断し、発電ユニット１０１に発電指令を出す（Ｓ１０４）。２１：５９：３０に停電が発生し、停電検知器１０３が停電を判断して制御器１０２に送信して記憶部１１１の停電情報が“あり”となる。
【００３１】
３０秒後、制御器１０２が制御処理一を動作すると（Ｓ１０１）、時刻取得部１１２を
用いて現在時刻２２：００：００を取得する（Ｓ１０１）。２２：００と発電停止時間帯２２：００−２：００を比較し（Ｓ１０２）、現在時刻が発電停止時間帯に入っていると判断し、記憶部１１１の停電情報を参照し停電していると判断し（Ｓ１０３）、発電指令を出す（Ｓ１０４）。２２：３０まで停電情報が更新されず制御器１０２が制御処理一を動作しても発電指令が出続ける。
【００３２】
２２：３０：１７に停電復帰し、停電検知器１０３が制御器１０２に停電復帰を送信し、制御器１０２は記憶部１１１の停電情報を“なし”に更新する。次に制御器１０２が制御処理一を動作すると（Ｓ１００）、時刻取得部１１２を用いて現在時刻２２：３１を取得する（Ｓ１０１）。
【００３３】
２２：３１と発電停止時間帯２２：００−２：００を比較し（Ｓ１０２）、現在時刻が発電停止時間帯に入っていると判断し、記憶部１１１の停電情報を参照し停電していないと判断し（Ｓ１０３）、発電ユニット１０１に停止指令を出して停止する（Ｓ１０５）。本実施例では発電ユニット１０１の発電及び停止の状態は図４の下図に示すように変化する。
【００３４】
次に、燃料電池システムにおける動作の一例について、図３のフローチャートと、図５の発電停止時間帯と停電発生と停電解除が発生した時系列と、停電が発生した場合の発電ユニット１０１の発電と停止の状態を示す時系列とを参照して制御手段一を用いた停電が発生しなかった場合の処理の例を説明する。
【００３５】
ユーザは予めリモコン１０８を介して発電停止時間帯２２：００−２：００を設定する。リモコン１０８は設定された発電停止時間帯２２：００−２：００を制御器１０２に送る。制御器１０２は受信した発電停止時間帯２２：００−２：００を記憶部１１１に記憶する。時刻取得部１１２は現在時刻を取得する。制御器は制御処理一を一定時間（ここでは１分）毎に動作する。今、発電ユニット１０１は発電中で、記憶部１１１の発電ユニットの状態は“発電中”、停電情報は“なし”となっているとする。
【００３６】
制御器１０２が制御処理一を動作すると（Ｓ１００）、時刻取得部１１２を用いて現在時刻２１：５９：００（２１時５９分００秒）を取得する（Ｓ１０１）。２１：５９と発電停止時間帯を比較し（Ｓ１０２）、現在時刻が発電停止時間帯に入っていないと判断し、発電ユニット１０１に発電指令を出す（Ｓ１０４）。１分後、制御器１０２が制御処理一を動作すると（Ｓ１０１）、時刻取得部１１２を用いて現在時刻２２：００：００を取得する（Ｓ１０１）。２２：００と発電停止時間帯２２：００−２：００を比較し（Ｓ１０２）、現在時刻が発電停止時間帯に入っていると判断し、停電でないと判断し（Ｓ１０３）、発電ユニット１０１に停止指令を出して停止する（Ｓ１０５）。本実施例では発電ユニット１０１の発電及び停止の状態は図５の下図に示すように変化する。
【００３７】
上記のように処理することにより停電が発生した場合には発電停止時間帯でも発電を継続することができる。
【００３８】
（実施の形態２）
以下、燃料電池システムにおける動作の一例について、図６のフローチャート、図７の第１時間及び第２時間と停電発生と停電解除が発生した時系列と、停電が発生した場合の発電ユニット１０１の発電と停止の状態を示す時系列とを参照して制御処理二を用いた処理の例を説明する。
【００３９】
制御処理二にはシステムの保証期間とＦＰの耐久性と季節毎の熱需要によって決定する１日の発電時間である第１時間（ここでは１７時間）と、システムの保証期間とＦＰの耐
久性とによって決定する１日の発電時間である第２時間（ここでは１８時間）とを設定する。
【００４０】
運転制御部１１０は発電ユニット１０１状態を一定時間毎に監視し、発電開始後直ちに記憶部１１１に発電開始時刻を記憶する。
【００４１】
時刻取得部１１２は現在時刻を取得する。制御器は制御処理二を一定時間（ここでは１分）毎に動作する。今、発電ユニット１０１は発電中で、記憶部１１１の発電ユニットの状態は“発電中”、発電開始時刻は６：００、停電情報は“なし”となっているとする。
【００４２】
制御器１０２が制御処理二を動作すると（Ｓ２００）、時刻取得部１１２を用いて現在時刻２２：５９：００を取得する（Ｓ２０１）。２２：５９と発電開始時刻（６：００）から発電時間を１６時間５９分と算出する（Ｓ２０２）、発電時間が第１時間に達していないと判断し（Ｓ２０３）、発電ユニット１０１に発電指令を出す（Ｓ２０４）。２２：５９：３０に停電が発生し、停電検知器１０３が停電を判断して制御器１０２に送信して記憶部１１１の停電情報が“あり”となる。３０秒後、制御器１０２が制御処理二を動作すると（Ｓ２０１）、時刻取得部１１２を用いて現在時刻２３：００：００を取得する（Ｓ２０１）。２３：００と発電開始時刻（６：００）から発電時間を１７時間００分と算出する（Ｓ２０２）、発電時間が第１時間に達していると判断し（Ｓ２０３）、停電情報を確認して（Ｓ２０３）、停電しているので発電時間が第２時間（１８時間）に達しているかを判断し（Ｓ２０４）、達していないので、発電ユニット１０１に発電指令を出す（Ｓ２０６）。
【００４３】
２４：００まで停電情報が更新されず制御器１０２が制御処理二を動作しても発電指令が出続ける。２４：０１に制御器１０２が制御処理二を動作すると（Ｓ２０１）、時刻取得部１１２を用いて現在時刻２４：０１：００を取得する（Ｓ２０１）。２４：００と発電開始時刻から発電時間を１８時間０１分と算出する（Ｓ２０２）、発電時間が第１時間に達していると判断し（Ｓ２０３）、停電情報を確認して（Ｓ２０３）、停電しているので発電時間が第２時間（１８時間）に達しているかを判断し（Ｓ２０４）、達しているので、発電ユニット１０１に停止指令を出す（Ｓ２０５）。２４：３０：１７に停電復帰し、停電検知器１０３が制御器１０２に停電復帰を送信し、制御器１０２は記憶部１１１の停電情報を“なし”に更新する。２４：３１に制御器１０２が制御処理二を動作すると（Ｓ２０１）、時刻取得部１１２を用いて現在時刻２４：３１：００を取得する（Ｓ２０１）。２４：３１と発電開始時刻（６：００）から発電時間を１８時間３１分と算出する（Ｓ２０２）、発電時間が第１時間に達していると判断し（Ｓ２０３）、停電情報を確認して（Ｓ２０３）、停電していないので発電ユニット１０１に停止指令を出す（Ｓ２０５）。
【００４４】
本実施例では発電ユニット１０１の発電及び停止の状態は図７の下図に示すように変化する。
【００４５】
次に、燃料電池システムにおける動作の一例について、図６のフローチャートと、図８の第１時間及び第２時間と停電発生と停電解除が発生した時系列と、停電が発生した場合の発電ユニット１０１の発電と停止の状態を示す時系列とを参照して制御手段二を用いた停電が発生しなかった場合の処理の例を説明する。今、発電ユニット１０１は発電中で、記憶部１１１の発電ユニットの状態は“発電中”、発電開始時刻は６：００、停電情報は“なし”となっているとする。
【００４６】
制御器１０２が制御処理二を動作すると（Ｓ２００）、時刻取得部１１２を用いて現在時刻２２：５９：００を取得する（Ｓ２０１）。２２：５９と発電開始時刻（６：００）
から発電時間を１６時間５９分と算出する（Ｓ２０２）、発電時間が第１時間に達していないと判断し（Ｓ２０３）、発電ユニット１０１に発電指令を出す（Ｓ２０４）。２２：５９：３０に停電が発生し、停電検知器１０３が停電を判断して制御器１０２に送信して記憶部１１１の停電情報が“あり”となる。１分後、制御器１０２が制御処理二を動作すると（Ｓ２０１）、時刻取得部１１２を用いて現在時刻２３：００：００を取得する（Ｓ２０１）。２３：００と発電開始時刻（６：００）から発電時間を１７時間００分と算出する（Ｓ２０２）、発電時間が第１時間に達していると判断し（Ｓ２０３）、停電情報を確認して（Ｓ２０３）、停電していないので、発電ユニット１０１に停止指令を出す（Ｓ２０５）。
【００４７】
本実施例では発電ユニット１０１の発電及び停止の状態は図８の下図に示すように変化する。
【００４８】
上記のように処理することにより停電が発生した場合には第１発電時間に達していても発電を継続することができる。
【００４９】
（実施の形態３）
以下、燃料電池システムにおける動作の一例について、図９のフローチャートと、図１０の停電が発生した場合の貯湯タンク１０４の熱量の時系列と、停電が発生した場合の発電ユニット１０１の発電と停止の状態を示す時系列とを参照して制御処理三を用いた処理の例を説明する。
【００５０】
制御処理三には貯湯タンク１０４の性能によって決定する第１熱量を予め設定する。熱量検知器１０５は貯湯タンク１０４の熱量を一定時間毎に制御器１０２に送る。制御器１０２は熱量を受信すると現在熱量として記憶部１１１に記憶する。
【００５１】
制御器１０２は制御処理三を一定時間（ここでは１分）毎に動作する。今、発電ユニット１０１は発電中で、記憶部１１１の発電ユニットの状態は“発電中”、停電情報は“なし”となっているとする。
【００５２】
制御器１０２が制御処理三を動作すると（Ｓ３００）、現在熱量と第１熱量を比較する（Ｓ３０１）、第１熱量以上でなければ発電ユニット１０１に発電指令を出す（Ｓ３０４）、第１熱量以上であれば停電情報を参照し（Ｓ３０２）、停電中ではないので発電ユニット１０１に停止指令を出す（Ｓ３０５）。第１熱量以上あり、停電している場合、冷却器１０６に対して動作指示を出し（Ｓ３０３）、貯湯タンクを冷却する。
【００５３】
上記のように処理することにより停電が発生した場合にはタンクを冷却することにより第１熱量に達しても発電を継続することができる。
【００５４】
以上、本発明に係る電力供給システム及び電力供給方法について、実施の形態及び変形例に基づいて説明したが、本発明は上記の実施の形態及び変形例に限定されるものではない。
【産業上の利用可能性】
【００５５】
本発明に係る燃料電池システムは、停電中にも凍結予防用ヒータに電力供給することが可能となるので、燃料電池等のコージェネレーションシステム等の用途に広く適用することができる。
【符号の説明】
【００５６】
１０  スタック
２０  電力変換部
３０  インバータ
４０  負荷
１０１  発電ユニット
１０２  制御器
１０３  停電検知器
１０４  貯湯タンク
１０５  熱量検知器
１０６  冷却器
１０８  リモコン
１０９  系統電源
１１０  運転制御部
１１１  記憶部
１１２  時刻取得部
【図１】
2014053234.tif 000003
【図２】
2014053234.tif 000004
【図３】
2014053234.tif 000005
【図４】
2014053234.tif 000006
【図５】
2014053234.tif 000007
【図６】
2014053234.tif 000008
【図７】
2014053234.tif 000009
【図８】
2014053234.tif 000010
【図９】
2014053234.tif 000011
【図１０】
2014053234.tif 000012